(57)【要約】【課題】水平解像度の低下のない複数の二次元画像、例えば視差を有する画像をそれぞれ所定の位置で観察することができるとともに、輝度の高い画像を表示することができる表示装置を提供する。【解決手段】液晶表示装置８と、液晶表示装置８の各画素２、３に、右眼用画像と左眼用画像とを、少なくとも液晶表示装置８の水平方向に対して交互に表示するように、各画素２、３に画像データを出力する画像信号出力部１３と、複数のスリット部を有するパララックスバリア１１と、スリット部５、６の透過、遮断を選択制御するスリット制御部と、レンチキュラレンズ１２とからなる表示装置であって、スリット部５、６の透過と遮断とが所定の周期で切り換わるのと同時期に、左眼用画像と右眼用画像の表示位置を切り換えて表示するよう画像データを出力することを特徴とする。【選択図】  図１
2005010303.tif 000002
【特許請求の範囲】
【請求項１】
画像を表示する複数の画素を有する発光型画像表示装置と、
前記発光型画像表示装置の各画素に画像データを出力するとともに、一の画像を表示する画素に隣接する画素のうち、少なくとも一部の画素が、前記一の画像と異なる画像を表示するよう前記発光型画像表示装置の各画素に画像データを出力する画像信号出力部と、
前記発光型画像表示装置の前記各画素からの光を透過するか遮断するかを各画素毎にアクティブに選択できるスリット部を有し、前記発光型画像表示装置の光出射側の面と対向して配置されるパララックスバリアと、
前記パララックスバリアのスリット部の透過、遮断を選択制御するスリット制御部と、
前記パララックスバリアのスリット部と対向して配置されるレンチキュラレンズとからなる表示装置であって、
前記スリット部の透過と遮断とが所定の周期で切り換わるのと同時期に、前記画像信号出力部は、前記各画素が、前記スリット部の切り換え前に表示していたそれぞれの画像と異なる画像にそれぞれ切り換えて表示するよう前記発光型画像表示装置の各画素に画像データを出力することを特徴とする表示装置。
【請求項２】
前記一の画像および前記一の画像と異なる画像は、それぞれ視差を有する画像であることを特徴とする請求項１に記載の表示装置。
【請求項３】
画像を表示する複数の画素を有する発光型画像表示装置と、
複数の連続視差を有する１番目からｎ番目までのｎ個の画像を、それぞれ前記発光型画像表示装置の水平方向に対して等分に複数分割した分割画像であって、
前記発光型画像表示装置の水平方向に対して、１番目からｎ番目までの各分割画像が、それぞれの表示位置において、順に繰り返し表示されるように形成された画像データを、前記発光型画像表示装置の各画素に出力する画像信号出力部と、
前記発光型画像表示装置の前記各画素からの光を透過するか遮断するかを各分割画像毎にアクティブに選択できるスリット部を有し、前記発光型画像表示装置の光出射側の面と対向して配置されるパララックスバリアと、
前記パララックスバリアのスリット部の透過、遮断を選択制御するスリット制御部と、
前記パララックスバリアのスリット部と対向して配置されるレンチキュラレンズとからなる表示装置であって、
前記スリット部の透過と遮断とが所定の周期で切り換わるのと同時期に、前記画像信号出力部は、前記各画素が、前記スリット部の切り換え前に表示していた１番目からｎ番目のそれぞれの分割画像とは異なる分割画像にそれぞれ切り換えて表示するよう前記発光型画像表示装置の各画素に画像データを出力することを特徴とする表示装置。
【請求項４】
画像を表示する複数の画素を有する発光型画像表示装置と、
前記発光型画像表示装置の各画素に、右眼用画像と左眼用画像を水平方向に等分に複数分割した各分割画像であって、前記右眼用画像の分割画像と、前記左眼用画像の分割画像とが、少なくとも前記発光型画像表示装置の水平方向に対して交互に表示されるように形成された画像データを、前記発光型画像表示装置の各画素に出力する画像信号出力部と、
前記発光型画像表示装置の各画素からの光を透過するか遮断するかを各分割画像毎にアクティブに選択できるスリット部を有し、前記発光型画像表示装置の光出射側の面と対向して配置されるパララックスバリアと、
前記パララックスバリアのスリット部を、前記発光型画像表示装置の水平方向に対して前記分割画像を交互に透過および遮断するように選択制御するとともに、前記スリット部の透過と遮断とを所定の周期で切り換えるよう前記スリット部の透過と遮断を選択制御するスリット制御部と、
前記パララックスバリアのスリット部と対向して配置されるレンチキュラレンズとからなる表示装置であって、
前記スリット部の透過と遮断とが所定の周期で切り換わるのと同時期に、それぞれの表示位置において、前記左眼用画像と前記右眼用画像の分割画像を切り換えて表示するよう発光型画像表示装置の各画素に画像データを出力することを特徴とする表示装置。
【請求項５】
前記画像信号出力部は、前記スリット部の透過と遮断とが切り換わるのと同時期に各画素に対して、当該各画素の水平方向の両隣の画素が、それぞれ画像切り換え前に表示していた画像の各部分の中間に位置する部分を前記スリット部の透過と遮断とが切り換え後に表示するよう画像信号を出力することを特徴とする請求項４に記載の表示装置。
【請求項６】
前記発光型画像表示装置は、背面光源と、
前記背面光源からの光を通して、画像を表示する複数の画素を有する透過型画像表示パネルとからなることを特徴とする請求項１から請求項５のいずれか一項に記載の表示装置。
【請求項７】
前記透過型画像表示パネルは、カラー画像を表示する透過型画像表示パネルであって、前記各画素はそれぞれ赤もしくは青もしくは緑を表示することを特徴とする請求項６に記載の表示装置。
【請求項８】
前記透過型画像表示パネルは、カラー画像を表示する透過型画像表示パネルであって、前記画素は前記発光型画像表示装置の垂直方向に三つの区画に分けられるとともに各区画にはそれぞれ赤、青、緑の表示部分を有することを特徴とする請求項６に記載の表示装置。
【請求項９】
前記透過型画像表示パネルは液晶パネルであることを特徴とする請求項６から請求項８のいずれか一項に記載の表示装置。
【請求項１０】
前記透過型画像表示パネルはＰＬＺＴであることを特徴とする請求項６から請求項８のいずれか一項に記載の表示装置。
【請求項１１】
前記パララックスバリアは液晶パネルであることを特徴とする請求項１から請求項１０のいずれか一項に記載の表示装置。
【請求項１２】
前記パララックスバリアはＰＬＺＴであることを特徴とする請求項１から請求項１０のいずれか一項に記載の表示装置。
【請求項１３】
前記発光型画像表示装置は、自発光型ディスプレイであることを特徴とする請求項１から請求項５のいずれか一項に記載の表示装置。
【請求項１４】
画像を表示する複数の画素を有する発光型画像表示装置と、前記発光型画像表示装置の各画素に画像データを出力するとともに、一の画像を表示する画素に隣接する画素のうち、少なくとも一部の画素が、前記一の画像と異なる画像を表示するよう前記発光型画像表示装置の各画素に画像データを出力する画像信号出力部と、
前記発光型画像表示装置からの光を透過するか遮断するかを各画素毎にアクティブに選択できるスリット部を有し、前記発光型画像表示装置の光出射側の面と対向して配置されるパララックスバリアと、
前記パララックスバリアのスリット部の透過、遮断を選択制御するスリット制御部と、
前記パララックスバリアのスリット部と対向して配置されるレンチキュラレンズとからなる表示装置。
【請求項１５】
背面光源と、
前記背面光源からの光を通して、画像を表示する複数の画素を有する透過型画像表示パネルと、
前記透過型画像表示パネルの各画素に画像データを出力するとともに、一の画像を表示する画素に隣接する画素のうち、少なくとも一部の画素が、前記一の画像と異なる画像を表示するよう前記透過型画像表示パネルの各画素に画像データを出力する画像信号出力部と、
光を透過するか遮断するかを選択できるスリット部を有するパララックスバリアと、
前記パララックスバリアのスリット部の透過、遮断を選択制御するスリット制御部と、
前記パララックスバリアのスリット部と同じ数のレンズを有するレンチキュラレンズとからなる表示装置。
【請求項１６】
画像を表示する複数の画素を有する自発光型ディスプレイと、前記自発光型ディスプレイの各画素に画像データを出力するとともに、一の画像を表示する画素に隣接する画素のうち、少なくとも一部の画素が、前記一の画像と異なる画像を表示するよう前記自発光型ディスプレイの各画素に画像データを出力する画像信号出力部と、
光を透過するか遮断するかを選択できるスリット部を有するパララックスバリアと、
前記パララックスバリアのスリット部の透過、遮断を選択制御するスリット制御部と、
前記パララックスバリアのスリット部と同じ数のレンズを有するレンチキュラレンズとからなる表示装置。
【請求項１７】
前記一の画像および前記一の画像と異なる画像は、それぞれ視差を有する画像であることを特徴とする請求項１４から請求項１６のいずれか一項に記載の表示装置。
【発明の詳細な説明】
【０００１】
【発明の属する技術分野】
本発明は、水平解像度の低下がなく、かつ輝度の高い複数の二次元画像、例えば視差を有する画像をそれぞれ所定の位置で観察することができる表示装置を提供するものである。
【０００２】
【従来の技術】特殊な眼鏡を使用せずに立体映像表示を実現する方法として、レンチキュラレンズ方式やパララックスバリア方式等が知られており、特許文献１には、パララックスバリアを、表示画像を切り換えるタイミングに同期してバリアとスリットを切り換えるようにすることで、この立体画像表示装置で二次元画像を表示した場合に観察される画像と比べても、水平方向の解像度（以下、水平解像度）が低下しない立体画像を見ることができる立体画像表示装置が提案されている。
【０００３】
しかし、この立体画像表示装置では、パララックスバリアを通った光は、広がって観察点に到達するため、表示される画像が暗くなる問題があった。
【０００４】
【特許文献１】
特開平９−１７１１５６号公報
【０００５】
【発明が解決しようとする課題】
本発明は、水平解像度の低下がなく、かつ輝度の高い複数の異なる画像、例えば視差を有する画像をそれぞれ所定の位置で観察することができる表示装置を提供するものである。
【０００６】
【課題を解決するための手段】
上記目的を達成するため、請求項１に記載の発明は、画像を表示する複数の画素を有する発光型画像表示装置と、発光型画像表示装置の各画素に画像データを出力するとともに、一の画像を表示する画素に隣接する画素のうち、少なくとも一部の画素が、一の画像と異なる画像を表示するよう発光型画像表示装置の各画素に画像データを出力する画像信号出力部と、発光型画像表示装置の各画素からの光を透過するか遮断するかを各画素毎にアクティブに選択できるスリット部を有し、発光型画像表示装置の光出射側の面と対向して配置されるパララックスバリアと、パララックスバリアのスリット部の透過、遮断を選択制御するスリット制御部と、パララックスバリアのスリット部と対向して配置されるレンチキュラレンズとからなる表示装置であって、スリット部の透過と遮断とが所定の周期で切り換わるのと同時期に、画像信号出力部は、各画素が、スリット部の切り換え前に表示していたそれぞれの画像と異なる画像にそれぞれ切り換えて表示するよう発光型画像表示装置の各画素に画像データを出力することを特徴とする。
【０００７】
この発明によれば、この表示装置で複数の異なる画像を同時に表示した場合に水平解像度の低下のない複数の異なるそれぞれの画像をそれぞれ所定の位置で観察することができるとともに、レンチキュラレンズによりパララックスバリアを透過した光を観察点に集光することができるため輝度の高い複数の画像をそれぞれ所定の位置で観察することができる。
【０００８】
請求項２に記載の発明は、請求項１に記載の表示装置において、発光型画像表示装置の各画素に表示される画像は、視差を有する画像であることを特徴とする。
【０００９】
この発明によれば、水平解像度の低下のない三次元画像を観察することができるとともに、レンチキュラレンズによりパララックスバリアを透過した光を観察点に集光することができるため輝度の高い三次元画像を観察することができる。
【００１０】
請求項３に記載の発明は、画像を表示する複数の画素を有する発光型画像表示装置と、複数の連続視差を有する１番目からｎ番目までのｎ個の画像を、それぞれ発光型画像表示装置の水平方向に対して等分に複数分割した分割画像であって、発光型画像表示装置の水平方向に対して、１番目からｎ番目までの各分割画像が、それぞれの表示位置において、順に繰り返し表示されるように形成された画像データを、発光型画像表示装置の各画素に出力する画像信号出力部と、発光型画像表示装置の各画素からの光を透過するか遮断するかを各分割画像毎にアクティブに選択できるスリット部を有し、発光型画像表示装置の光出射側の面と対向して配置されるパララックスバリアと、パララックスバリアのスリット部の透過、遮断を選択制御するスリット制御部と、パララックスバリアのスリット部と対向して配置されるレンチキュラレンズとからなる表示装置であって、スリット部の透過と遮断とが所定の周期で切り換わるのと同時期に、画像信号出力部は、各画素が、スリット部の切り換え前に表示していた１番目からｎ番目のそれぞれの分割画像とは異なる分割画像にそれぞれ切り換えて表示するよう前記発光型画像表示装置の各画素に画像データを出力することを特徴とする。
【００１１】
この発明によれば、視点を左右に動かすことで画像を回り込んで立体的に見るといった感覚をえることができる多眼式の立体画像表示装置を提供することができる。また、切り換えない場合に観察される画像に比べて、水平解像度の低下のない三次元画像を観察することができるとともに、レンチキュラレンズによりパララックスバリアを透過した光を観察点に集光することができるため輝度の高い三次元画像をそれぞれ所定の位置で観察することができる。
【００１２】
請求項４に記載の発明は、画像を表示する複数の画素を有する発光型画像表示装置と、発光型画像表示装置の各画素に、右眼用画像と左眼用画像を水平方向に等分に複数分割した各分割画像であって、右眼用画像の分割画像と、左眼用画像の分割画像とが、少なくとも発光型画像表示装置の水平方向に対して交互に表示されるように形成された画像データを、発光型画像表示装置の各画素に出力する画像信号出力部と、発光型画像表示装置の各画素からの光を透過するか遮断するかを各分割画像毎にアクティブに選択できるスリット部を有し、発光型画像表示装置の光出射側の面と対向して配置されるパララックスバリアと、パララックスバリアのスリット部を、発光型画像表示装置の水平方向に対して分割画像を交互に透過および遮断するように選択制御するとともに、スリット部の透過と遮断とを所定の周期で切り換えるようスリット部の透過と遮断を選択制御するスリット制御部と、パララックスバリアのスリット部と対向して配置されるレンチキュラレンズとからなる表示装置であって、スリット部の透過と遮断とが所定の周期で切り換わるのと同時期に、それぞれの表示位置において、左眼用画像と右眼用画像の分割画像を切り換えて表示するよう発光型画像表示装置の各画素に画像データを出力することを特徴とする。
【００１３】
この発明によれば、切り換えない場合に観察される画像に比べて、水平解像度の低下のない三次元画像を観察することができるとともに、レンチキュラレンズによりパララックスバリアを透過した光を観察点に集光することができるため輝度の高い三次元画像をそれぞれ所定の位置で観察することができる。
【００１４】
請求項５に記載の発明は、請求項４に記載の表示装置において、画像信号出力部は、スリット部の透過と遮断とが切り換わるのと同時期に各画素に対して、当該各画素の水平方向の両隣の画素が、それぞれ画像切り換え前に表示していた画像の各部分の中間に位置する部分をスリット部の透過と遮断とが切り換え後に表示するよう画像信号を出力することを特徴とする。
【００１５】
この発明によれば、切り換えない場合に観察される立体画像に比べて、水平解像度の低下がなく、かつ輝度の高い画像をそれぞれ所定の位置で観察することができる。
【００１６】
請求項６に記載の発明は、請求項１から請求項５に記載の表示装置において、発光型画像表示装置は、背面光源と、背面光源からの光を通して、画像を表示する複数の画素を有する透過型画像表示パネルとからなることを特徴とする。
【００１７】
請求項７に記載の発明は、請求項６に記載の表示装置において、透過型画像表示パネルは、カラー画像を表示する透過型画像表示パネルであって、各画素はそれぞれ赤もしくは青もしくは緑を表示することを特徴とする。
【００１８】
この発明によれば、透過型画像表示パネルの各画素より出射されるＲ、Ｇ、Ｂの三原色の光は、それぞれ個別にパララックスバリア、レンチキュラレンズを透過し、各観測点においてカラー画像が再現されるため、輝度の高い複数のカラー画像をそれぞれ異なる位置に表示することができる。また、既存の液晶パネルを用いることができる。
【００１９】
請求項８に記載の発明は、請求項６に記載の表示装置において、透過型画像表示パネルは、カラー画像を表示する透過型画像表示パネルあって、画素は発光型画像表示装置の垂直方向に三つの区画に分けられるとともに各区画にはそれぞれ赤、青、緑の表示部分を有することを特徴とする。
【００２０】
この発明によれば、輝度の高い複数のカラー画像をそれぞれ所定の位置に表示することができる。また、各画素中の垂直方向に並んだ赤、青、緑の各区画は、水平方向に並んだどの発光領域からの光もほぼ均等に入射されるため、発光する発光領域によって表示される画像の色度が変化することがない。
【００２１】
請求項９に記載の発明は、請求項６から請求項８のいずれか一項に記載の表示装置において、透過型画像表示パネルは液晶パネルであることを特徴とする。
請求項１０に記載の発明は、請求項６から請求項８のいずれか一項に記載の表示装置において、透過型画像表示パネルはＰＬＺＴであることを特徴とする。
【００２２】
請求項１１に記載の発明は、請求項１から請求項１０のいずれか一項に記載の表示装置において、パララックスバリアは液晶パネルであることを特徴とする。
請求項１２に記載の発明は、請求項１から請求項１０のいずれか一項に記載の表示装置において、パララックスバリアはＰＬＺＴであることを特徴とする。請求項１３に記載の発明は、請求項１から請求項５のいずれか一項に記載の表示装置において、発光型画像表示装置は、自発光型ディスプレイであることを特徴とする。
【００２３】
請求項１４に記載の発明は、画像を表示する複数の画素を有する発光型画像表示装置と、発光型画像表示装置の各画素に画像データを出力するとともに、一の画像を表示する画素に隣接する画素のうち、少なくとも一部の画素が、一の画像と異なる画像を表示するよう発光型画像表示パネルの各画素に画像データを出力する画像信号出力部と、発光型画像表示装置からの光を透過するか遮断するかを各画素毎にアクティブに選択できるスリット部を有し、発光型画像表示装置の光出射側の面と対向して配置されるパララックスバリアと、パララックスバリアのスリット部の透過、遮断を選択制御するスリット制御部と、パララックスバリアのスリット部と対向して配置されるレンチキュラレンズとからなる表示装置。
【００２４】
この発明によれば、この表示装置で複数の二次元画像を同時に表示した場合に水平解像度の低下のない複数の二次元画像それぞれを所定の位置で観察することができるとともに、レンチキュラレンズによりパララックスバリアを透過した光を観測点に集光することができるため輝度の高い複数の画像をそれぞれ所定の位置で観察することができる表示装置を提供することができる。
【００２５】
請求項１５に記載の発明は、背面光源と、背面光源からの光を通して、画像を表示する複数の画素を有する透過型画像表示パネルと、透過型画像表示パネルの各画素に画像データを出力するとともに、一の画像を表示する画素に隣接する画素のうち、少なくとも一部の画素が、一の画像と異なる画像を表示するよう透過型画像表示パネルの各画素に画像データを出力する画像信号出力部と、光を透過するか遮断するかを選択できるスリット部を有するパララックスバリアと、パララックスバリアのスリット部の透過、遮断を選択制御するスリット制御部と、パララックスバリアのスリット部と同じ数のレンズを有するレンチキュラレンズとからなる表示装置。
【００２６】
この発明によれば、この表示装置で複数の二次元画像を同時に表示した場合に水平解像度の低下のない複数の二次元画像それぞれを所定の位置で観察することができるとともに、レンチキュラレンズによりパララックスバリアを透過した光を観測点に集光することができるため輝度の高い複数の画像をそれぞれ所定の位置で観察することができる表示装置を提供することができる。
【００２７】
請求項１６に記載の発明は、画像を表示する複数の画素を有する自発光型ディスプレイと、自発光型ディスプレイの各画素に画像データを出力するとともに、一の画像を表示する画素に隣接する画素のうち、少なくとも一部の画素が、一の画像と異なる画像を表示するよう自発光型ディスプレイの各画素に画像データを出力する画像信号出力部と、光を透過するか遮断するかを選択できるスリット部を有するパララックスバリアと、パララックスバリアのスリット部の透過、遮断を選択制御するスリット制御部と、パララックスバリアのスリット部と同じ数のレンズを有するレンチキュラレンズとからなる表示装置。
【００２８】
この発明によれば、この表示装置で複数の二次元画像を同時に表示した場合に水平解像度の低下のない複数の二次元画像それぞれを所定の位置で観察することができるとともに、レンチキュラレンズによりパララックスバリアを透過した光を観測点に集光することができるため輝度の高い複数の画像をそれぞれ所定の位置で観察することができる表示装置を提供することができる。
【００２９】
請求項１７に記載の発明は、請求項１４から請求項１６のいずれか一項に記載の表示装置において、一の画像および一の画像と異なる画像は、それぞれ視差を有する画像であることを特徴とする。
【００３０】
この発明によれば、この表示装置で複数の二次元画像を同時に表示した場合に水平解像度の低下のない三次元画像それぞれを所定の位置で観察することができるとともに、レンチキュラレンズによりパララックスバリアを透過した光を観測点に集光することができるため輝度の高い三次元画像をそれぞれ所定の位置で観察することができる表示装置を提供することができる。
【００３１】
【発明の実施の形態】
（第１の実施の形態）
以下、本発明を、異なる２つの画像を表示する表示装置を用いた表示装置に具体化した実施の形態を、図１〜図４に従って説明する。
【００３２】
表示装置１は、発光型画像表示装置としての液晶表示装置８、画像信号出力部１３、パララックスバリア１１、スリット制御部１４、レンチキュラレンズ１２とからなる。
【００３３】
液晶表示装置８は、透過型画像表示パネルとしての液晶パネル１０、背面光源としての有機電界発光素子９とからなる。
液晶パネル１０は、公知の薄膜トランジスタＬＣＤを用いる。
【００３４】
図４ａに示すように、液晶パネル１０は、互いに対向するように配設された第一透明基板１５、第二透明基板１６及び、これら第一、第二透明基板間に保持された液晶層１７を備えている。
【００３５】
第一透明基板１５、第二透明基板１６の外側表面には、偏光板３２が配置されている。
第一透明基板１５の液晶層１７と接する側には、図４ｂに示す等価回路のように走査線１８、信号線１９、画素電極２０、駆動部であるＴＦＴ２１、補助容量２２及び補助容量線２３が、それぞれ液晶層１７と接する側に設けられており、これらを一組として各画素２、３が構成されている。
【００３６】
走査線１８及びこれと交差するように配列された信号線１９の交差部には、スイッチ素子としてＴＦＴ２１が接続される。
そのＴＦＴ２１のゲート電極は走査線１８に接続され、ソース電極（またはドレイン電極）は信号線１９に接続され、さらにドレイン電極（またはソース電極）は画素電極２０に接続されている。
【００３７】
画素電極２０には、充電電荷を保持するための補助容量２２が電気的に並列に接続されている。この補助容量２２は、画素電極２０と補助容量線２３との間に容量Ｃｓを形成している。
【００３８】
なお、補助容量２２には、図示しない外部のコントロール回路から一定の電位が与えられている。
ここで、図４ｂに示す等価回路図の動作について説明する。
【００３９】
信号線１９に画像データが出力され、これと同期して走査線１８に行選択パルスが出力されると、ＴＦＴ２１のソース・ドレイン間が導通状態となり、画像データが信号線１９を通り、ＴＦＴ２１を介して画素電極２０に書き込まれる。そして、各画素電極２０には、供給される画像データに応じた電圧が印加され、これらに対向する液晶層１７がそれぞれ駆動されることで全体として表示画像が構成される。
【００４０】
第二透明基板１６の液晶層１７と接する側には、画素電極２０と相対する共通電極としてのＩＴＯ電極２４が全面に形成されている。
有機電界発光素子９は、ガラス基板上に、ＩＴＯ（インジウム錫酸化物）による透明電極、有機層及び金属電極を順に積層して形成されている。
【００４１】
有機電界発光素子９の両電極間に電圧を印加すると、有機層中の発光層が発光する。この実施の形態では、発光色が白色となるように有機層が構成されている。そして、発光層から発せられた光は、ガラス基板を通って外部に出射される。
【００４２】
この実施の形態における有機電界発光素子９は、電極及び有機層が平面状に形成されており、電極間に電圧が印加されると、発光層のすべての点で同時に同じ色の光が発生する。
【００４３】
画像信号出力部１３は、例えばマイクロコンピュータ等の通常の情報処理装置よりなり、右眼用画像と左眼用画像を液晶パネル１０の水平方向に対して等分に分割した各分割画像の画像データを、各画素２、３に出力するとともに、右眼用画像と左眼用画像を、液晶パネル１０の水平方向に対して交互に表示するように、画素２に、右眼用または左眼用画像のいずれか一方を表示するための画像データと、画素３に、画素２と異なる画像を表示するための画像データをそれぞれ液晶パネル１０へ出力する。さらに、画像信号出力部１３は、それぞれ所定の周期毎に画素２と３に対して右眼用と左眼用の画像表示が相互に入れ替わるように、液晶パネル１０へ画像データを出力する。
【００４４】
詳述すると、本実施の形態では、図３（ａ）に示すような、液晶パネル１０の水平方向に対して等分に分割した左眼用の分割画像（Ｌ１、Ｌ２．．．  Ｌ１４）と、図３（ｂ）に示すような、右眼用の分割画像（Ｒ１、Ｒ２．．．  Ｒ１４）を用いる。そして、画素３には、奇数列の左眼用の分割画像（Ｌ１、Ｌ３．．．  Ｌ１３）の画像データを出力し、画素２には、奇数列の右眼用の分割画像（Ｒ１、Ｒ３．．．  Ｒ１３）の画像データを出力する。つまり、図３（ｃ）に示すように画像データを出力する。
【００４５】
次に、所定の周期で、画素３に、偶数列の右眼用の分割画像（Ｒ２、Ｒ４．．．  Ｒ１４）を出力し、画素２に、偶数列の左眼用の分割画像（Ｌ２、Ｌ４．．．  Ｌ１４）を出力する。つまり、図３（ｄ）に示すように画像データを出力する。
【００４６】
パララックスバリア１１は、互いに平行に配設された二枚の透明ガラス２５、２６と、各透明ガラス２５、２６の内面の対向する位置に形成された透明電極２８、２９と、各透明ガラス２５、２６間に封入された液晶２７と、光出射側に配設された偏光板３２とからなり、透明電極２８、２９と液晶２７によってスリット部５、６が構成される。なお、パララックスバリア１１は、一の画素に対して、一のスリット部がそれぞれ対向するように配置されている。スリット制御部１４は、例えばパララックスバリア１１の各スリット部５、６の透過、遮断を切り換え制御するロジック部とパララックスバリア１１の透明電極２８、２９に電圧を印加する駆動部とからなり、液晶パネル１０の水平方向に対して一のスリット部おきに光を透過するように制御する。このスリット部５と６とが交互に透過するようにする制御は、画像信号出力部１３からの信号を受けて、液晶パネル１０の表示画像の切り換えと同時期になされる。
【００４７】
レンチキュラレンズ１２は、パララックスバリア１１のスリット部５、６と同じ数のシリンドリカルレンズが並んだ構造になるように、金型などによってアクリル板の表面を加工形成したものである。
【００４８】
液晶表示装置８は、面状の有機電界発光素子９と液晶パネル１０が対向して配置され、液晶パネル１０の光出射面と、パララックスバリア１１が対向して配置されている。また、パララックスバリア１１の出射側の面と対向してレンチキュラレンズ１２が配置されている。
【００４９】
次に、上記のように構成された表示装置１の作用を図１から図３に従って説明する。
有機電界発光素子９の電極間に電圧を印加すると、有機層の中の発光層で白色の光が発せられ、液晶パネル１０に向けて出射される。
【００５０】
液晶パネル１０内に入射された光は、液晶パネル１０の各画素２、３を透過する。
各画素２、３には、画像信号出力部１３から、画素２には、奇数列の右眼用の分割画像（Ｒ１、Ｒ３．．．  Ｒ１３）の画像データが出力され、画素３には、奇数列の左眼用の分割画像（Ｌ１、Ｌ３．．．  Ｌ１３）の画像データが、出力され、それぞれの画像を表示する。
【００５１】
各画素２、３を通った光は、パララックスバリア１１に入射する。
パララックスバリア１１のスリット部５、６は、スリット制御部１４から信号を受け、スリット部６が光を透過し、スリット部５が光を遮断するよう透明電極２８、２９に電圧が印加されている。したがって、各画素２、３を通った光は、スリット部６を通り、図１に示すように、右眼用画像を表示する各画素２と、スリット部６とが重なって見える位置（例えば、位置Ａ）に向かう光になる。そして、スリット部６を通った光は、レンチキュラレンズ１２のシリンドリカルレンズを通ることにより、一点（例えば、位置Ａ）に集光する。
【００５２】
よって、位置Ａにおいて、表示装置１全体として輝度の高いＲ１、Ｒ３．．．  Ｒ１３からなる右眼用画像を認識することができる。しかし、この位置Ａでは、左眼用画像を表示する各画素３は、光を遮断するスリット部５の前面に位置していることにより、同画素３を透過する光を認識することはできず、右眼用画像のみが見えることになる。
【００５３】
同様に左眼用画像を表示する各画素３が、スリット部６と重なって見える位置Ｂにおいては、表示装置１の全体としてＬ１、Ｌ３．．．  Ｌ１３からなる左眼用画像を認識することができる。しかし同位置Ｂでは、右眼用画像を表示する画素２は、光を遮断するスリット部５の前面に位置するため、左眼用画像を認識することはできず、左眼用画像のみが見えることになる。
【００５４】
次に、図２に示すように画像信号出力部１３によって、左眼用画像を表示していた各画素３には、偶数列の右眼用の分割画像（Ｒ２、Ｒ４．．．  Ｒ１４）を出力し、右眼用画像を表示していた各画素２には、偶数列の左眼用の分割画像（Ｌ２、Ｌ４．．．  Ｌ１４）を出力する。これと同時期に、画像信号出力部１３と連動するスリット制御部１４によって、スリット部６が光を遮断し、スリット部５が光を透過するよう制御される。
【００５５】
これにより画素２とスリット部６によって右眼用画像を認識していた位置Ａにおいて、今度はスリット部５と画素３によって、偶数列の右眼用の分割画像（Ｒ２、Ｒ４．．．Ｒ１４）からなる右眼用画像を認識することになる。左眼用画像を認識できる位置Ｂも同様に、スリット部５と画素２によって偶数列の左眼用の分割画像（Ｌ２、Ｌ４．．．  Ｌ１４）からなる左眼用画像を認識することができる。
【００５６】
そして、この各画素２、３における左右画像の切り換えとスリット部５、６の切り換えを短い周期で繰り返せば、人の眼には、切り換え前に表示された画像と切り換え後に表示された画像が重なって１つの画像として見えるようになる。よって、液晶パネル１０の画素２、３の全画素を左右の両画像表示に寄与させることができるため、この表示装置で二次元画像を表示した場合に観察される画像と比べても水平解像度の低下のない三次元画像を観察することができる。
【００５７】
また、スリット部５、６を透過した光は、レンチキュラレンズ１２のシリンドリカルレンズによって、所定の観察点に集光されるため、輝度の高い三次元画像を観察することができる。
【００５８】
以上記述したように、実施の形態によれば、以下の効果が得られる。
（１）  この表示装置で二次元画像を表示した場合に観察される画像と比べても、水平解像度の低下のない三次元画像をそれぞれ所定の位置で観察することができるとともに、レンチキュラレンズによりパララックスバリアを透過した光を観察点に集光することができるため輝度の高い三次元画像を所定の位置で観察することができる。
（第２の実施の形態）
第２の実施の形態における液晶パネル５９は、図５に示すように、第二透明基板１６の液晶層１７と接する側の面上に、カラーフィルタ５２、保護膜３０、共通電極としてのＩＴＯ電極２４が、順次形成されており、第一透明基板１５上の液晶層１７と接する側には、一画素でＲ、Ｇ、Ｂそれぞれを表示するために、画素電極５３および図示しないが、走査線、信号線、ＴＦＴ、補助容量及び補助容量線から構成されるサブ画素が、図５に示すように、一の画素中に液晶パネル５９の水平方向に三つ並んで設けられている。その他の構成は第１の実施の形態と同様である。
【００５９】
その他の構成は第一の実施の形態と同様である。
カラーフィルタ５２は、図６に示すように、一の画素中に液晶パネル５９の水平方向にＲ、Ｇ、Ｂが並んで表示されるように形成されている。
【００６０】
第２の実施の形態によれば、上記（１）、（２）の効果に加えて、以下の効果を奏する。
透過型画像表示パネルの各画素より出射されるＲ、Ｇ、Ｂの三原色の光は、それぞれ個別にパララックスバリア、レンチキュラレンズを透過し、各観測点においてカラー画像が再現されるため、輝度の高い複数のカラー画像をそれぞれ異なる位置に表示することができる。また、既存の液晶パネルを用いることができる。
（第３の実施の形態）
第３の実施の形態の液晶パネル７９は、図７に示すように、第二透明基板１６の液晶層１７と接する側の面上に、カラーフィルタ７２、保護膜３０、共通電極としてのＩＴＯ電極２４が、順次形成されており、第一透明基板１５上の液晶層１７と接する側には、一画素でＲ、Ｇ、Ｂそれぞれを表示するために、画素電極７３及び、図示しないが、走査線、信号線、ＴＦＴ、補助容量及び補助容量線から構成されるサブ画素が、一の画素中に液晶パネル７９の垂直方向に三つ並んで設けられており、カラーフィルタ７２は、図８に示すように、一の画素中に液晶パネル７９の垂直方向にＲ、Ｇ、Ｂが並んで表示されるように形成されている。その他の構成は第１の実施の形態と同様である。
【００６１】
第３の実施の形態によれば、指向性部材を用いずに複数のカラー画像をそれぞれ異なる位置に表示することができる。また、各画素中の垂直方向に並んだ各サブ画素は、水平方向に並んだどの発光領域からの光もほぼ均等に入射されるため、発光する発光領域によって表示される画像の色度が変化することがない。
（第４の実施の形態）
第４の実施の形態における表示装置９０を、図９〜図１３に従って説明する。
【００６２】
表示装置９０は、異なるｎ個の画像を表示するものとして、ここではｎ＝３とし、異なる三つの画像α、β、γを表示する。
画像信号出力部１３は、第１、２の実施の形態と同様に、例えばマイクロコンピュータ等の通常の情報処理装置よりなり、外部より入力された画像信号より、画素２に画像α、β、γのいずれかを表示するための画像データと、画素３に画素２、４と異なる画像を表示するための画像データと、画素４に画素２、３と異なる画像を表示するための画像データをそれぞれ液晶パネル１０へ出力することにより、三つの異なる画像が液晶パネル１０の水平方向に対し、各画素２、３、４毎に表示される。更に、画像信号出力部１３は、三つの画像α、β、γの画像データを、それぞれ所定の周期毎に画素２、３、４に対して、画像α、β、γの画像表示が入れ替わるように、液晶パネル１０へ出力する。
【００６３】
詳述すると、本実施の形態では、図１２（ａ）に示すような、液晶パネル１０の水平方向に対して等分に分割したα用の分割画像（α１、α２．．．α１２）と、図１２（ｂ）に示すような、β用の分割画像（β１、β２．．．β１２）と図１２（ｃ）に示すような、γ用の分割画像（γ１、γ２．．．γ１２）を用いる。そして画素２には、γ３、γ６、γ、γ１２からなるγ用の分割画像の画像データを出力し、画素３には、β３、β６、β９、β１２からなるβ用の分割画像の画像データを出力し、画素４には、α３、α６、α９、α１２からなるα用の分割画像の画像データを出力する。つまり、図１３（ａ）に示すように画像データを出力する。
【００６４】
次に、所定の周期で、画素２に、α２、α５、α８、α１１からなるα用の分割画像の画像データを出力し、画素３に、γ２、γ５、γ８、γ１１からなるγ用の分割画像の画像データを出力し、画素４に、β２、β５、β８、β１１からなるβ用の分割画像の画像データを出力する。つまり、図１３（ｂ）に示すように画像データを出力する。
【００６５】
さらに、所定の周期で、画素２に、β１、β４、β７、β１０からなるβ用の分割画像の画像データを出力し、画素３に、α１、α４、α７、α１０からなるα用の分割画像の画像データを出力し、画素４に、γ１、γ４、γ７、γ１０からなるγ用の分割画像の画像データを出力する。つまり、図１３（ｃ）に示すように画像データを出力する。
【００６６】
スリット制御部１４も、第１、２の実施の形態と同様に、例えばパララックスバリア１１のスリット部５、６、７を切り換え制御するロジック部とパララックスバリア１１の透明電極２８、２９へ所定の電圧を印加する駆動部とからなり、液晶パネル１０の水平方向に対して二のスリット部おきに光を透過するように制御しており、スリット部５が、同時に光を透過するときには、スリット部６、７は光を遮断し、スリット部６が同時に光を透過しているときには、スリット部５、７は光を遮断し、スリット部７が同時に光を透過しているときには、スリット部５、６は光を遮断するように制御する。このスリット部５、６、７の動作は、画像信号出力部１３からの信号を受けて、液晶パネル１０の表示画像の切り換えと同時期になされる。
【００６７】
その他は、第１の実施の形態と同様である。
この表示装置９０の作用を図９〜図１１に従って説明する。
表示装置９０は、以下のステップＳ１、Ｓ２、Ｓ３を一サイクルとして駆動させることによって、この表示装置９０で二次元画像を表示した場合に観察される画像と比べても水平解像度の低下のない三つの二次元画像をそれぞれ所定の位置で観察することができる。
（ステップＳ１）
図９に示すように画像信号出力部１３と連動するスリット制御部１４によって、各スリット部５が同時に光を透過する。
【００６８】
これと同時期に、各画素２、３、４には、上述のように画像信号出力部１３から、画素２には、γ３、γ６、γ９、γ１２からなるγ用の分割画像の画像データが出力され、画素３には、β３、β６、β９、β１２からなるβ用の分割画像の画像データが出力され、画素４には、α３、α６、α９、α１２からなるα用の分割画像の画像データが出力され、それぞれ図１３（ａ）に示すような画像を表示する。このとき表示装置９０の前面の観察者は、表示装置９０の正面であって、画像γを表示する各画素２と、スリット部５とが重なって見える位置Ｅにおいて、液晶パネル１０全体としてγ３、γ６、γ９、γ１２からなる画像γを認識することができる。しかし、この位置Ｅでは、画像βを表示する各画素３、画像αを表示する各画素４は、スリット部６、７の前面に位置していることにより、画素３、４を透過する光を認識することはできず、画像γのみが見えることになる。
【００６９】
同様に画像αを表示する各画素４が、スリット部５と重なって見える位置Ｃにおいては、画像αのみが見え、画像βを表示する各画素３が、スリット部５と重なって見える位置Ｄにおいては、画像βのみが見えることになる。
（ステップＳ２）
図１０に示すように画像信号出力部１３と連動するスリット制御部１４によって、スリット部５、７が同時に光を遮断し、スリット部６が光を透過する。
【００７０】
これと同時期に、画像信号出力部１３は、ステップＳ１時に画像γを表示していた各画素２には、α２、α５、α８、α１１からなるα用の分割画像の画像データを出力し、ステップＳ１時に画像βを表示していた各画素３には、γ２、γ５、γ８、γ１１からなるγ用の分割画像の画像データを出力し、ステップＳ１時に画像γを表示していた各画素４には、β２、β５、β８、β１１からなるβ用の分割画像の画像データを出力し、図１３（ｂ）に示すような画像を表示する。これにより画像信号出力部１３と連動するスリット制御部１４によって、スリット部がかわる前にスリット部５と画素４によって画像αを認識していた位置Ｃにおいて、今度はスリット部６と画素２によって、α２、α５、α８、α１１からなる画像αを認識することになる。同様に、画像βを認識できる位置Ｄも、ステップＳ２時にはスリット部６と画素４によってβ２、β５、β８、β１１からなる画像βを認識することができ、画像γを認識できる位置Ｅも、ステップＳ２時にはスリット部６と画素３によってγ２、γ５、γ８、γ１１からなる画像γを認識することができる。
（ステップＳ３）
図１１に示すように画像信号出力部１３と連動するスリット制御部１４によって、スリット部５、６が同時に光を遮断し、スリット部７が光を透過する。
【００７１】
これと同時期に、画像信号出力部１３は、ステップＳ２時に画像αを表示していた各画素２には、β１、β４、β７、β１０からなるβ用の画像の画像データを出力し、ステップＳ２時に画像βを表示していた各画素４には、γ１、γ４、γ７、γ１０からなるγ用の画像の画像データを出力し、ステップＳ２時に画像γを表示していた各画素３には、α１、α４、α７、α１０からなるα用の画像の画像データを出し、図１３（ｃ）に示すような画像を表示する。これによりステップＳ２時にスリット部６と画素２によって画像αを認識していた位置Ｃにおいて、今度はスリット部７と画素３によって、α１、α４、α７、α１０からなる画像αを認識することになる。同様に、画像βを認識できる位置Ｄも、ステップＳ３時にはスリット部７と画素２によってβ１、β４、β７、β１０からなる画像βを認識することができ、画像γを認識できる位置Ｅも、ステップＳ３時にはスリット部７と画素４によってγ１、γ４、γ７、γ１０からなる画像γを認識することができる。
【００７２】
そして、ステップＳ１からステップＳ３のサイクルを短い周期で繰り返せば、人の眼には、ステップＳ１に表示された画像と、ステップＳ２に表示された画像と、ステップＳ３に表示された画像が各観測点で同時期に観測できるようになる。よって、液晶パネル１０の画素２、３、４の全画素を左右の両画像表示に寄与させることができるため、この表示装置で二次元画像を表示した場合に観察される画像と比べても水平解像度の低下のない多眼式立体画像を観察することができる。
【００７３】
更に、本実施の形態では画像数ｎ＝３であるが、同様の要領で同時に表示出来る画像数ｎを更に増やすことで、観察者は表示装置全面において、周囲から回り込んで立体像を感じるように表示することができる。
（第５の実施の形態）
第５の実施の形態における表示装置を、図１４に従って説明する。
【００７４】
表示装置は、発光型画像表示装置としての有機ＥＬディスプレイ１０１を用いる以外は、第１の実施の形態と同様である。
有機ＥＬディスプレイ１０１は、公知のものでよく、透明基板１０２と、透明電極１０３と反射散乱機能をもった金属電極１０５と、薄膜層としての有機薄膜層１０４からなる。有機薄膜層１０４は発光層のみの単層、または正孔注入層、正孔輸送層、正孔注入輸送層、正孔阻止層、電子注入層、電子輸送層、電子阻止層の一層以上と発光層とが積層された多層のいずれであってもよい。
【００７５】
この実施の形態における有機薄膜層１０４は、正孔注入層、正孔輸送層、発光層、電子輸送層、電子注入層が積層された多層である。有機薄膜層１０４は発光層が、それぞれ赤、緑、青の三つの異なる色の光を発光する材料によって形成された発光領域３Ｒ、３Ｂ、３Ｇが、それぞれ隣接するように面状に配置されており、三色の発光領域３Ｒ、３Ｂ、３Ｇ全体として一つの画素を形成する。
【００７６】
この構成でも、第１の実施の形態と同様な効果をえることができる。
尚、本発明は前記実施の形態の他、以下の態様で実施してもよい。
○  前記実施の形態では、背面光源として有機電界発光素子を用いたが、有機電界発光素子に限らず、例えば、冷陰極管などの線状光源、発光ダイオードなどの点状光源、また無機電界発光素子であってもよい。この場合にも、有機電界発光素子の場合と同様の効果が得られる。
○  第１、２、４の実施の形態では、液晶パネルの水平方向または有機ＥＬディスプレイの水平方向に対して、右眼用画像と左眼用画像とが一の画素毎に交互に表示されるように、画像信号出力部から画像データを出力したが、これに限らず、例えば、図１５に示すように、右眼用画像と左眼用画像が複数画素毎に連続して交互に表示されるように画像データを出力してもよい。この構成でも、この表示装置で二次元画像を表示した場合に観察される画像と比べても水平解像度の低下のない三次元画像を観察することができるとともに、輝度の高い三次元画像を観察することができる。ただし、この場合、図１５に示すように、スリット部の透過、遮断も液晶パネルと対応させて選択する必要がある。
○  第１、２、４の実施の形態では、液晶パネルの水平方向または有機ＥＬディスプレイの水平方向に対して、右眼用画像と左眼用画像とが各画素毎に交互に表示されるように、画像信号出力部から画像データを出力しているが、これに限らず、例えば、図１６に示すように、液晶パネル１６１の水平方向だけでなく、液晶パネル１６１の垂直方向にも、右眼用画像と左眼用画像とがそれぞれ画素２、３毎に交互に表示されるように、画像信号出力部から画像データを出力してもよい。この構成でも、この表示装置で二次元画像を表示した場合に観察される画像と比べても水平解像度の低下のない三次元画像を観察することができるとともに、輝度の高い三次元画像を観察することができる。ただし、この場合、図１６に示すように、スリット部の透過、遮断も液晶パネルと対応させて選択する必要がある。
○  第２、３の実施の形態では、一の画素に対して、一のスリット部がそれぞれ対向するようにパララックスバリアを配置したが、図１７に示すように、一のサブ画素に対して、一のスリット部がそれぞれ対向するようにパララックスバリアを配置してもよい。
○  実施の形態では、第１、２、４の実施の形態では異なる二つの画像を表示し、第３の実施の形態では異なる三つの画像を表示したが、表示する画像はいくつでもよく、実施の形態と同様の要領で制御を行えば、水平解像度の低下がなく、かつ輝度の高い多眼式立体画像を観察することができる。
○  第２の実施の形態では、異なる二つのカラー画像を表示したが、表示する画像はいくつでもよく、例えば、第３の実施の形態の液晶表示装置の液晶パネルを第２の実施の形態の液晶パネルにかえることにより、三次元カラー画像を表示することができる。
○  実施の形態では、透過型画像表示パネルとして液晶パネルを用いたが、光を透過して画像を表示することができればよく、例えばＰＬＺＴなどでもよい。
【００７７】
【発明の効果】
上述のように、本発明によれば、水平解像度の低下のない複数の画像、例えば視差を有する画像をそれぞれ異なる位置に表示することができるとともに、輝度の高い画像を表示することができる表示装置を提供することができる。
【図面の簡単な説明】
【図１】実施の形態の液晶表示装置を用いた表示装置の切り換え前の光路を示す断面模式図。
【図２】実施の形態の液晶表示装置を用いた表示装置の切り換え後の光路を示す断面模式図。
【図３】（ａ）第１、２、３の実施の形態における左眼用画像の画像を示す図。
（ｂ）第１、２、３の実施の形態における右眼用画像の画像を示す図。
（ｃ）第１、２、３の実施の形態における切り換え前の画像を表示した液晶パネルを示す図。
（ｄ）第１、２、３の実施の形態における切り換え後の画像を表示した液晶パネルを示す図。
【図４】（ａ）第１の実施の形態の液晶表示装置を用いた表示装置の要部断面模式図。
（ｂ）実施の形態の液晶パネルの表示画素の等価回路図。
【図５】第２の実施の形態の液晶表示装置を用いた表示装置の要部断面模式図。
【図６】第２の実施の形態の液晶表示装置を用いた表示装置の要部斜視図。
【図７】第３の実施の形態の液晶表示装置を用いた表示装置の要部断面模式図。
【図８】第３の実施の形態の液晶表示装置を用いた表示装置の要部斜視図。
【図９】第４の実施の形態の液晶表示装置を用いた表示装置のＳ１時の光路を示す断面模式図。
【図１０】第４の実施の形態の液晶表示装置を用いた表示装置のＳ２時の光路を示す断面模式図。
【図１１】第４の実施の形態の液晶表示装置を用いた表示装置のＳ３時の光路を示す断面模式図。
【図１２】（ａ）第４の実施の形態におけるα用の画像の画像を示す図。
（ｂ）第４の実施の形態におけるβ用の画像の画像を示す図。
（ｃ）第４の実施の形態におけるγ用の画像の画像を示す図。
【図１３】（ａ）ステップＳ１時の画像を表示した液晶パネルを示す図。
（ｂ）ステップＳ２時の画像を表示した液晶パネルを示す図。
（ｃ）ステップＳ３時の画像を表示した液晶パネルを示す図。
【図１４】他の実施の形態の液晶表示装置を用いた表示装置の要部断面模式図。
【図１５】他の実施の形態の液晶表示装置を用いた表示装置の断面模式図。
【図１６】他の実施の形態の液晶表示装置を用いた表示装置の要部斜視図。
【図１７】他の実施の形態の液晶表示装置を用いた表示装置の要部斜視図。
【符号の説明】
１．．．表示装置、２，３．．．画素、５，６．．．スリット部、８．．．液晶表示装置（発光型画像表示装置）、９．．．有機電界発光素子（背面光源）、１０．．．液晶パネル（透過型画像表示パネル）、１１．．．パララックスバリア、１２．．．レンチキュラレンズ、１３．．．画像信号出力部、１４．．．スリット制御部。
【図１】
2005010303.tif 000003
【図２】
2005010303.tif 000004
【図３】
2005010303.tif 000005
【図４】
2005010303.tif 000006
【図５】
2005010303.tif 000007
【図６】
2005010303.tif 000008
【図７】
2005010303.tif 000009
【図８】
2005010303.tif 000010
【図９】
2005010303.tif 000011
【図１０】
2005010303.tif 000012
【図１１】
2005010303.tif 000013
【図１２】
2005010303.tif 000014
【図１３】
2005010303.tif 000015
【図１４】
2005010303.tif 000016
【図１５】
2005010303.tif 000017
【図１６】
2005010303.tif 000018
【図１７】
2005010303.tif 000019